(57)【要約】【課題】印画紙を２列で千鳥状に搬送する場合にあっても、印画紙が傾くことなく搬送することの出来る搬送装置を提供する。【解決手段】搬送ローラのローラ面同士を圧接させるようにした複数の搬送ローラ対により、印画紙を２列で且つ千鳥状に搬送するようにした印画紙の搬送装置において、搬送ローラ対を構成するサイドローラの長さ方向中間部には、小径ローラ部を設けると共に、長さ方向両端部には、小径ローラ部のローラ面の外径よりも大径のローラ面を備えた大径ローラ部を設け、更に大径ローラ部と小径ローラ部との間には、小径ローラ部のローラ面の外径よりもわずかに大径で且つ大径ローラ部のローラ面の外径よりもわずかに小径としたローラ面をもつ中間径ローラ部を設けた。【選択図】  図５
2005001789.tif 000002
【特許請求の範囲】
【請求項１】
搬送ローラのローラ面同士を圧接させるようにした複数の搬送ローラ対により、シート材を２列で且つ千鳥状に搬送するようにしたシート材の搬送装置において、
前記搬送ローラ対の少なくともいずれか一方の搬送ローラにおける長さ方向中間部のローラ面の外径を、その長さ方向両端部のローラ面の外径よりも小径としていることを特徴とするシート材の搬送装置。
【発明の詳細な説明】
【０００１】
【発明の属する技術分野】
本発明は、印画紙等のシート材を搬送するための搬送装置に関する。
【０００２】
【従来の技術】
一般に印画紙等のシート材をプリント処理するための写真処理装置は、印画紙に画像を焼き付けるためのプリンターと、プリンターで画像の焼き付処理した印画紙を主として現像処理するためのプロセッサとが備えられている。
【０００３】
そして以上の写真処理装置では、先ず、プロセッサで印画紙に画像を焼付処理した上で、その印画紙を搬送装置によりプロセッサに送り込み、プロセッサでは、送り込まれた印画紙をプロセッサ側の搬送装置により搬送しながら現像処理した後、乾燥処理してプリントを仕上げるようにしている。
【０００４】
ところで、以上の写真処理装置は、一般にプリンタでの処理速度よりもプロセッサでの処理速度の方が遅く、従って写真処理装置の処理能力を向上させるためにはプロセッサでの処理能力を引き上げる必要がある。
【０００５】
そこで、従来では、プロセッサで焼付露光された印画紙を搬送経路中で左右２列に振り分けるとともに、２列に振り分けた印画紙を千鳥状に搬送するようにして、現像処理部での処理能力を高めるようにしている。
【０００６】
【発明が解決しようとする課題】
しかしながら前記したように、印画紙を２列で千鳥状に搬送すると、次の不具合が生じる。
【０００７】
即ち、搬送ローラ対Ａは、図１０に概略的に示すように、ばね力により、一方の搬送ローラＢのローラ面を他方の搬送ローラＣのローラ面に向けて押し付けて、これら両ローラＢ・Ｃの回転駆動により、両ローラＢ・Ｃのローラ面で印画紙Ｐを挟みながら搬送するようにしているのであるが、図１０に概略的に示すように、２列の一方の印画紙Ｐ−１若しくはＰ−２のみが搬送ローラ対Ａに挟まれた状態となった時には、印画紙Ｐ−１・Ｐ−２の内側部分ＰＩにおける搬送ローラ対の圧接力が外側部分ＰＯにおける搬送ローラ対の圧接力よりも大きくなって、印画紙Ｐ−１・Ｐ−２における内側部分ＰＩの搬送力が外側部分ＰＯの搬送力よりも大きくなる。
【０００８】
そのため、印画紙Ｐ−１・Ｐ−２の搬送に伴い、印画紙Ｐ−１・Ｐ−２の内側ＰＩが外側ＰＯよりも進んで、印画紙が図９に示すように傾き、これにより、印画紙Ｐ−１・Ｐ−２の内側部分ＰＩにおけるコーナー部分にダメージが発生したり、あるいはプリント処理後、プリント排出口から排出トレイに排出される印画紙の整列性が悪くなるなどの問題がある。
【０００９】
尚、図９、図１０では、本願の発明が理解し易いように、一方の搬送ローラの他方の搬送ローラに対する傾きや、印画紙の厚さなどを実際よりも強調して表している。
【００１０】
本発明は以上の実情に鑑みて開発したものであって、目的とするところは、シート材を２列で千鳥状に搬送する場合にあっても、シート材が傾くことなく搬送することの出来るシート材の搬送装置を提供するにある。
【００１１】
【課題を解決するための手段】
以上の目的を達成するために請求項１記載の発明は、搬送ローラのローラ面同士を圧接させるようにした複数の搬送ローラ対により、シート材を２列で且つ千鳥状に搬送するようにしたシート材の搬送装置において、前記搬送ローラ対の少なくともいずれか一方の搬送ローラにおける長さ方向中間部のローラ面の外径を、その長さ方向両端部のローラ面の外径よりも小径としていることを特徴とするものである。
【００１２】
【発明の実施の形態】
図１は、本発明の搬送装置を搭載する写真処理装置を概略的に示したものであって、この写真処理装置は、基本的には、シート材の一例である印画紙Ｐに画像の焼付処理を行うためのプリンター１と、焼付けの終了した印画紙Ｐに対して現像などの処理を施すためのプロセッサ２とから構成されている。
【００１３】
プリンター１には、ロール状に巻いた印画紙Ｐを格納するペーパーマガジン１１、ペーパーマガジン１１から送り出された印画紙Ｐを所定の長さに切断するためのカッタ１２、カッタ１２により所定長さに切断された印画紙Ｐに対して現像済みネガフィルムの画像を焼き付けるための露光台１３、光源１４を収納したランプハウジング１５、現像済フィルムをセットするフィルムマスクユニット１６、引き伸ばし用レンズユニット１７、露光時間を制御するためのシャッタ（図示せず）、並びに画像が焼き付けられた印画紙Ｐを２列に振り分けるための振り分け装置１８が搭載されている。
【００１４】
プロセッサ２は、露光台１３で露光済の印画紙Ｐを現像処理するための現像装置２ａと、印画紙Ｐの表面に付着する処理液を除去するための除去装置２ｂと、現像処理装置２ａで現像処理された印画紙Ｐを乾燥するための乾燥装置２ｃと、乾燥された印画紙Ｐを排出するプリント排出装置２ｄとを備えている。
【００１５】
現像装置２ａは、複数の処理液槽２１内に、現像液、漂白・定着液、安定化液等の各種処理液を個別に充填すると共に、これら各処理液槽２１には、印画紙Ｐの搬送を行うための搬送装置２０を搭載している。
【００１６】
以上の写真処理装置は、ペーパーマガジン１１から順次引き出されてカッタ１２により所定のプリントサイズにカットされた印画紙Ｐに、現像済みフィルムのコマ画像を露光台１３で焼付け、続いてこの印画紙Ｐを現像装置２ａの処理液槽２１内に充填した現像液や定着液等の各種処理液に侵漬させて、現像・漂白・定着・安定等の各処理を順次行った後、除去装置２ｂにより、印画紙Ｐの表面に付着する処理液を除去した上で、この印画紙Ｐを更に乾燥装置２ｃに送り込んで乾燥空気により乾燥し、続いてプリント排出装置２ｄから排出するのである。
【００１７】
本発明は、以上の写真処理装置において、処理液槽２１内に搭載する印画紙Ｐの搬送装置２０に適用している。
【００１８】
この搬送装置２０は、処理液槽２１内に収容される搬送ラック機構３と、この搬送ラック機構３を介して各処理液槽２１から送り出されて来る印画紙Ｐを次の処理液槽２１内の搬送ラック機構に向けて旋回させるための上部ターンガイドラック機構４とを備えているのであって、上部ターンガイドラック機構４は、搬送ラック機構３の上部に搭載され、搬送ラック機構３は、基本的には処理液槽２１内に装填する縦長のラック本体５と、このラック本体５に回転自在に支持する複数の搬送ローラ対６とを備えている。
【００１９】
搬送ローラ対６は、図２及び図３にも示すように、ラック本体５の前面側と背面側との中間位置に回転自由に支持する複数のセンターローラ７と、このセンターローラ７を挟んでラック本体５の前面側に回転自由に支持する複数のサイドローラ８ａ及びラック本体５の背面側に回転自由に支持する複数のサイドローラ８ｂから構成して、ラック本体５の前面側では、相対向するセンターローラ７とサイドローラ８ａとで構成される搬送ローラ対６に印画紙Ｐを通して、これら両ローラ７・８ａで印画紙Ｐを下方に搬送させ、またラック本体５の背面側では、相対向するセンターローラ７とサイドローラ８ｂとで構成される搬送ローラ対６に印画紙Ｐを通して、これら両ローラ７・８ｂで印画紙Ｐを上方に搬送させるようにしている。
【００２０】
サイドローラ８ａ・８ｂは、ローラ本体８０と、このローラ本体８０を支持する支持軸８１とから構成されている。
【００２１】
ラック本体５は、合成樹脂材料から縦長に形成されたものであって、図２にも示すように、その上端には、把手５１を一体形成する一方、ラック本体５の左右内側壁板５２・５３の幅方向両端部には、サイドローラ８ａ・８ｂの軸受部材９を組み付けるための切欠５４を所定間隔開けて複数形成している。
【００２２】
切欠５４は、図４に示すように、上下方向斜めにわずかに傾斜しながら各内側壁板５２・５３の幅方向に延び、その長さ方向一端がこれら側壁板５２・５３の幅方向一端で開口し、長さ方向他端は半円形に形成されている。
【００２３】
軸受部材９は合成樹脂材料から形成され、図４に示すように、切欠５４に挿嵌可能な断面円形の筒軸部９１と、この筒軸部９１から径方向に突出する一対のフランジ９２・９３とを備え、筒軸部９１の軸芯には、サイドローラ８ａ・８ｂの支持軸８１が挿通可能な軸孔９４を設けている。
【００２４】
また軸受部材９における筒軸部９１の外周面には、図４に示すように、所定間隔開けて平行に延びる一対の突片９５を突設して、筒軸部９１の切欠５４内への挿嵌時、突片９５により、軸受部材９が切欠５４内で回転しないように成しているのであって、切欠５４内に挿嵌した軸受部材９の軸孔９４に、サイドローラ８ａ・８ｂの支持軸８１の軸端部を挿嵌すると共に、支持軸８１を支持する軸受部材９には、コイルばねから成る止め環９０を掛け渡して、この止め環９０のばね力により、両サイドローラ８ａ・８ｂをセンターローラ７側に付勢させて、両サイドローラ８ａ・８ｂのローラ面をセンターローラ７のローラ面７０に圧接させるようにしている。
【００２５】
以上の構成から成る搬送装置において、図１〜図６に示す実施形態では、センターローラ７のローラ面７０の外径を全長にわたって同一としている。
【００２６】
一方、サイドローラ８ａ・８ｂを構成するローラ本体８０の長さ方向中間部には、小径ローラ部８２を設けると共に、長さ方向両端部には、小径ローラ部８２のローラ面８２０の外径よりも大径のローラ面８３０ａ・８３０ｂを備えた大径ローラ部８３ａ・８３ｂを設け、更に大径ローラ部８３ａ・８３ｂと小径ローラ部８２との間には、小径ローラ部８２のローラ面８２０の外径よりもわずかに大径で且つ大径ローラ部８３ａ・８３ｂのローラ面８３０ａ・８３０ｂの外径よりもわずかに小径としたローラ面８４０ａ・８４０ｂをもつ中間径ローラ部８４ａ・８４ｂを設けている。
【００２７】
以上のローラ本体８０は、弾性を有する合成樹脂材料から形成している。
【００２８】
尚、図５及び図６は、本願の発明が理解し易いように、ローラ本体８０の形状及び印画紙Ｐの厚さなどを実際よりも強調して表したものである。
【００２９】
斯くして以上の搬送装置により、印画紙Ｐを２列で千鳥状に搬送するに際して、図６に示すように、２列の一方の印画紙Ｐのみが搬送ローラ対６に挟まれた状態となっても、印画紙Ｐの内側部分ＰＩにおける搬送ローラ対６の圧接力が外側部分ＰＯにおける搬送ローラ対６の圧接力よりも大きくなることはなく、換言すれば、印画紙Ｐにおける内側部分ＰＩの搬送力が外側部分ＰＯの搬送力よりも大きくなることはなく、従って、印画紙Ｐの搬送に伴い、従来のように、印画紙Ｐの内側部分ＰＩが外側部分ＰＯよりも進んで印画紙Ｐが図９に示すように傾くような不具合が解消でき、これにより、印画紙Ｐは、定まった姿勢で安定的に搬送することが出来、プリント処理後、プリント排出装置２ｄから排出トレイに排出されるプリントの整列性も良好となる。
【００３０】
以上の実施形態では、サイドローラ８ａ・８ｂを構成するローラ本体８０に、小径ローラ部８２と、大径ローラ部８３ａ・８３ｂと、中間径ローラ部８４ａ・８４ｂとを設けが、これに限定されるものではなく、例えば図７に示すように、サイドローラ８ａ・８ｂを構成するローラ本体８０の長さ方向中間部に小径ローラ部８２を、ローラ本体８０の長さ方向両端部に大径ローラ部８３ａ・８３ｂをそれぞれ設けるだけにして、中間径ローラ部８３ａ・８３ｂを省略してもよいし、あるいは図８に示すように、長さ方向中間部が窪む湾曲状のローラ面８００としてもよい
また以上の実施形態では、サイドローラ８ａ・８ｂの長さ方向中間部のローラ面の外径を、その長さ方向両端部のローラ面の外径よりも小径としたが、これに限定されるものではなく、例えばサイドローラ８ａ・８ｂに替えてセンターローラ７のローラ面７０の外径を、その長さ方向両端部のローラ面７０の外径よりも小径としてもよいし、あるいは、センターローラ７及びサイドローラ８ａ・８ｂの両者のローラ面の外径を、その長さ方向両端部のローラ面の外径よりも小径としてもよい。
【００３１】
また以上の実施形態では、ローラ本体８０を弾性を有する合成樹脂材料から形成するようにしたが、これに限定されるものではなく、弾性を有する対薬品性の高い材料から形成してもよい。
【００３２】
また弾性を有するローラは、ローラ本体８０に限定されるものではなく、ローラ本体８０に替えて、センターローラ７を弾性を有する材料から形成してもよいし、あるいはサイドローラ８ａ・８ｂ、センターローラ７の両者を弾性を有する材料で形成してもよく、サイドローラ８ａ・８ｂ、センターローラ７の両者を弾性を有する材料で形成することで、印画紙Ｐを定まった姿勢で最も安定的に搬送することが出来て、プリントの整列性を最も良好とすることが出来る。
【００３３】
また以上の実施形態では、シート材として印画紙Ｐの搬送装置に適用したが、これに限定されるものではなく、例えば写真フィルムの搬送装置に適用してもよい。
【００３４】
【発明の効果】
以上のごとく請求項１記載の発明によれば、搬送ローラのローラ面同士を圧接させるようにした複数の搬送ローラ対により、シート材を２列で且つ千鳥状に搬送するようにしたシート材の搬送装置において、前記搬送ローラ対の少なくともいずれか一方の搬送ローラにおける長さ方向中間部のローラ面の外径をその長さ方向両端部のローラ面の外径よりも小径としたことにより、シート材を２列で千鳥状に搬送する際にあっても、従来のようにシート材が傾くようなことなく所定の姿勢で正確に搬送することが出来、従って、シート材のコーナー部分にダメージが発生したり、プリント処理後のシート材の整列性が悪くなるなどの不具合が解消するに至ったのである。
【図面の簡単な説明】
【図１】本発明にかかる搬送装置を搭載した写真処理装置の説明図。
【図２】搬送ラック機構の概略斜視図。
【図３】搬送ラック機構の要部の説明図。
【図４】搬送ラック機構の要部の分解斜視図。
【図５】サイドローラの説明図。
【図６】サイドローラを構成するローラ本体とセンターローラとの関係を示す説明図。
【図７】サイドローラの別の実施形態を示す説明図。
【図８】サイドローラの別の実施形態を示す説明図。
【図９】従来の搬送装置による印画紙の搬送状況の説明図。
【図１０】従来の  搬送ローラ対による印画紙の搬送状態を示す説明図。
【符号の説明】
７                センターローラ（搬送ローラ）
８ａ・８ｂ                  サイドローラ（搬送ローラ）
８２                小径ローラ部
８２０              ローラ面
８３ａ・８３ｂ      大径ローラ部
８３０ａ・８３０ｂ  ローラ面
８４ａ・８４ｂ      中間径ローラ部
８４０ａ・８４０ｂ  ローラ面
Ｐ                                      印画紙（シート材）
【図１】
2005001789.tif 000003
【図２】
2005001789.tif 000004
【図３】
2005001789.tif 000005
【図４】
2005001789.tif 000006
【図５】
2005001789.tif 000007
【図６】
2005001789.tif 000008
【図７】
2005001789.tif 000009
【図８】
2005001789.tif 000010
【図９】
2005001789.tif 000011
【図１０】
2005001789.tif 000012